(57)【要約】【課題】手の力の弱い人あるいは手がうまく動かせない人でも確実に容易に開封することができ、さらに内容物を容易に取り出すことのできる包装体の構造を提案する。【解決手段】サイドシール部３、４と、トップシール部２と、ボトムシール部５を有する包装袋に、シート状の内容物３０を収納した包装体１であって、一方のサイドシール部の開封開始部６から出発して表面側の積層体を経由して水平方向に向かい、反対側の側端上の終点１０に至る表面開封誘導線８と、開封開始部から出発して裏面側の積層体を経由して水平方向に向かい、反対側の側端上の前記終点に至る裏面開封誘導線９とを有し、裏面開封誘導線は水平な直線状であってその高さ位置は、内容物の上端が露出しない高さであり、表面開封誘導線は、開封開始部の高さより中央部の高さが低く、中央部の高さは内容物の上端が露出する高さであることを特徴とする包装体である。【選択図】図１
2020070038.tif 000002
【特許請求の範囲】
【請求項１】
基材層とアルミニウム箔層とシーラント層を有する積層体のシーラント層同士を対向させ、左右両側端部を熱シールした一対のサイドシール部と、上端部を熱シールしたトップシール部と、下端部を熱シールしたボトムシール部を有する包装袋に、シート状の内容物を収納した包装体であって、
一方のサイドシール部に開封開始部を有し、この開封開始部から出発して表面側の積層体を経由して水平方向に向かい、反対側の側端上の終点に至るハーフカット線からなる表面開封誘導線と、
前記開封開始部から出発して裏面側の積層体を経由して水平方向に向かい、反対側の側端上の前記終点に至るハーフカット線からなる裏面開封誘導線とを有し、
裏面開封誘導線は水平な直線状であってその高さ位置は、前記内容物の上端が露出しない高さであり、
表面開封誘導線は、開封開始部の高さより中央部の高さが低く、中央部の高さは前記内容物の上端が露出する高さであることを特徴とする包装体。
【請求項２】
基材層とアルミニウム箔層とシーラント層を有する積層体を縦方向の折曲線に沿って折り曲げてシーラント層同士を対向させ、側端部を熱シールしたサイドシール部と、上端部を熱シールしたトップシール部と、下端部を熱シールしたボトムシール部を有する包装袋に、シート状の内容物を収納した包装体であって、
サイドシール部に開封開始部を有し、この開封開始部から出発して表面側の積層体を経由して水平方向に向かい、前記折曲線との交点に至るハーフカット線からなる表面開封誘導線と、
前記開封開始部から出発して裏面側の積層体を経由して水平方向に向かい、前記折曲線との交点に至るハーフカット線からなる裏面開封誘導線とを有し、
裏面開封誘導線は水平な直線状であってその高さ位置は、前記内容物の上端が露出しない高さであり、
表面開封誘導線は、開封開始部の高さより中央部の高さが低く、中央部の高さは前記内容物の上端が露出する高さであることを特徴とする包装体。
【請求項３】
ボトムシール部の、内容物の側端より外側の位置２箇所に、包装袋を縦方向に切断するための開封開始部を有することを特徴とする請求項１または２に記載の包装体。
【発明の詳細な説明】
【技術分野】
【０００１】
本発明は、軟包装袋に平坦な物品を収納して密封した包装体に関し、特に手の力の弱い人でも容易に開封して内容物を取り出すことが出来る易開封性の包装体に関する。
【背景技術】
【０００２】
医薬品用の包装袋のように、内容物の保存性を重視する包装袋にあっては、酸素や水蒸気等の影響を少なくするために、アルミニウム箔を使用したガスバリア性包装材料が用いられることが多い。アルミニウム箔を使用した医薬品用包装材料は、厚くて強度も高いため、開封性に劣り、特に手に何らかの障がいがあって手の力が弱かったり、手をうまく動かせない人には開封しづらいという問題があった。
【０００３】
包装袋に易開封性を付与する方法としては、従来より種々の検討がなされてきた。特許文献１に記載された包装袋は、交差する２方向に開封可能な包装袋である。この包装袋は、交差する２方向にミシン目状の開封助成部を設けていた従来の包装袋において、ピンホールが発生しやすいという問題を解決しようとしたものであり、縦方向を積層フィルムの易引裂方向とし、これに直交する方向に開封用切れ目を設けたものである。
【０００４】
特許文献１に記載された包装袋は、積層フィルムの同一面内に２本の切れ目線が交差していないため、ピンホールが発生し難いものではあるが、積層フィルムの易引裂方向を開封に利用する方法は、本質的に開封の安定性に欠け、しばしば開封位置がずれて、本来開封すべき位置が開封できないという問題を内包しているものである。
【０００５】
一方、開封後に内容物を取り出すに当たっての問題点も存在する。内容物に厚みがあって、開封した時点で内容物の周囲に自然に空気層ができるような内容物であれば特に取り出し性に関する問題は生じないが、厚さが薄いシート状の内容物、例えば貼付剤のような物の場合、開封しても表裏の積層体と内容物とが密着していて、容易に取出すことができないことが多かった。
【先行技術文献】
【特許文献】
【０００６】
【特許文献１】特開２０１５−５８９５２号公報
【発明の概要】
【発明が解決しようとする課題】
【０００７】
本発明の解決しようとする課題は、厚さの薄いシート状の内容物を収納した包装体において、手の力の弱い人あるいは手がうまく動かせない人でも確実に容易に開封することができ、さらに内容物を容易に取り出すことのできる包装体の構造を提案するものである。
【課題を解決するための手段】
【０００８】
上記の課題を解決するための手段として、請求項１に記載の発明は、基材層とアルミニウム箔層とシーラント層を有する積層体のシーラント層同士を対向させ、左右両側端部を熱シールした一対のサイドシール部と、上端部を熱シールしたトップシール部と、下端部を熱シールしたボトムシール部を有する包装袋に、シート状の内容物を収納した包装体であって、一方のサイドシール部に開封開始部を有し、この開封開始部から出発して表面側の積層体を経由して水平方向に向かい、反対側の側端上の終点に至るハーフカット線からなる表面開封誘導線と、前記開封開始部から出発して裏面側の積層体を経由して水平方向に向かい、反対側の側端上の前記終点に至るハーフカット線からなる裏面開封誘導線とを
有し、裏面開封誘導線は水平な直線状であってその高さ位置は、前記内容物の上端が露出しない高さであり、表面開封誘導線は、開封開始部の高さより中央部の高さが低く、中央部の高さは前記内容物の上端が露出する高さであることを特徴とする包装体である。
【０００９】
本発明に係る包装体は、包装袋の表裏面に設けた開封誘導線に沿って開封することができ、裏面側の切り口は内容物が露出しない高さであり、表面側の切り口は内容物の上端部が露出するため、シート状の取り出し難い内容物も容易に取出すことができる。
【００１０】
また、請求項２に記載の発明は、基材層とアルミニウム箔層とシーラント層を有する積層体を縦方向の折曲線に沿って折り曲げてシーラント層同士を対向させ、側端部を熱シールしたサイドシール部と、上端部を熱シールしたトップシール部と、下端部を熱シールしたボトムシール部を有する包装袋に、シート状の内容物を収納した包装体であって、サイドシール部に開封開始部を有し、この開封開始部から出発して表面側の積層体を経由して水平方向に向かい、前記折曲線との交点に至るハーフカット線からなる表面開封誘導線と、前記開封開始部から出発して裏面側の積層体を経由して水平方向に向かい、前記折曲線との交点に至るハーフカット線からなる裏面開封誘導線とを有し、裏面開封誘導線は水平な直線状であってその高さ位置は、前記内容物の上端が露出しない高さであり、表面開封誘導線は、開封開始部の高さより中央部の高さが低く、中央部の高さは前記内容物の上端が露出する高さであることを特徴とする包装体である。
【００１１】
また、請求項３に記載の発明は、ボトムシール部の、内容物の側端より外側の位置２箇所に、包装袋を縦方向に切断するための開封開始部を有することを特徴とする請求項１または２に記載の包装体である。
【発明の効果】
【００１２】
本発明に係る包装体は、包装袋の表裏面に設けた開封誘導線に沿って開封することができ、裏面側の開封誘導線による切り口は内容物が露出しない高さであり、表面側の開封誘導線による切り口は内容物の上端部が露出するため、シート状の取り出し難い内容物も容易に取出すことができる。また、裏面側に残る積層体は内容物よりも大きいため内容物が完全に露出することはなく、衛生的である。
【００１３】
本発明に係る包装体における開封誘導線の配置は、請求項１に記載した四方袋にも、請求項２に記載した三方袋にも適用することができる。
【００１４】
積層体をアルミニウム箔層を含むものとしたことにより、開封誘導線をレーザー加工機で描画する際に、安定して基材層のみをハーフカットすることができる。
【００１５】
請求項３に記載の発明のように、ボトムシール部の、内容物の側端より外側の位置２箇所に、包装袋を縦方向に切断するための開封開始部を設けた場合には、内容物の下側以外の３方向が開封されるため、内容物の取出し性がさらに向上する。
【図面の簡単な説明】
【００１６】
【図１】図１は、本発明に係る包装体の第一の実施形態を模式的に示した平面説明図である。
【図２】図２は、図１に示した包装体を開封した状態を模式的に示した平面説明図である。
【図３】図３は、本発明に係る包装体の第二の実施形態を模式的に示した平面説明図である。
【図４】図４は、図３に示した包装体を開封した状態を模式的に示した平面説明図である。
【図５】図５は、本発明に係る包装体の第三の実施形態を模式的に示した平面説明図である。
【図６】図６は、図５に示した包装体を開封した状態を模式的に示した平面説明図である。
【図７】図７は、本発明に係る包装体に用いる積層体の層構造を模式的に示した断面説明図である。
【発明を実施するための形態】
【００１７】
以下図面を参照しながら、本発明に係る包装体について詳細に説明する。図１は、本発明に係る包装体の第一の実施形態を模式的に示した平面説明図である。また図７は、本発明に係る包装体に用いる積層体の層構造を模式的に示した断面説明図である。
【００１８】
本発明に係る包装体１は、図７に示したように基材層２１とアルミニウム箔層２２とシーラント層２３を有する積層体２０のシーラント層同士を対向させ、図１に示したように左右両側端部を熱シールした一対のサイドシール部３、４と、上端部を熱シールしたトップシール部２と、下端部を熱シールしたボトムシール部５を有する四方シール包装袋に、シート状の内容物３０を収納した包装体である。
【００１９】
本発明に係る包装体１は、一方のサイドシール部３に開封開始部６を有し、この開封開始部６から出発して表面側の積層体を経由して水平方向に向かい、反対側の側端上の終点１０に至るハーフカット線からなる表面開封誘導線８と、開封開始部６から出発して裏面側の積層体を経由して水平方向に向かい、反対側の側端上の前記終点１０に至るハーフカット線からなる裏面開封誘導線９とを有し、裏面開封誘導線９は水平な直線状であってその高さ位置は、内容物３０の上端が露出しない高さであり、表面開封誘導線８は、開封開始部６の高さより中央部の高さが低く、中央部の高さは内容物３０の上端が露出する高さであることを特徴とする。
【００２０】
図２は、図１に示した包装体１を開封した状態を模式的に示した平面説明図である。開封開始部６から出発した積層体の裂け目は、表裏面の積層体に設けられた開封誘導線８、９に沿って進み、表裏面で異なる経路を経て終点１０で一致する。このため切り取られたトップシール部２が残ることはなく、完全に除去される。なお開封開始部６は、図１ではＶ字状のカットであるが、Ｕ字状やＩ字状等その形状は任意である。
【００２１】
内容物３０の上端部は、表面側の積層体の切り口より上に露出しており、裏面側の積層体の切り口よりは下であるから露出していない。このため、医薬品等を収納しても、衛生的に取り扱うことが可能である。また表裏の積層体の切り口が一致していないため、開封後に切断面を開くことが容易に行える。従って薄いシート状の内容物のように、取り出し難い内容物であっても、容易に取出すことができる。
【００２２】
医薬品であるシップ薬や経皮吸収薬等の貼付薬や、口腔内崩壊剤（ＯＤフィルム）等は、シート状であるため、表裏面の積層体に付着し易く、従って取り出し難いものであるが、本発明に係る包装体は、このような用途に適したものである。また、これらの医薬品を使用する患者は、しばしば手が不自由である場合があり、開封や取り出しに困難が伴うものであるが、本発明に係る包装体は、このような手の不自由な人にとっても開封、取り出しが容易にできる。
【００２３】
図３は、本発明に係る包装体１の第二の実施形態を模式的に示した平面説明図である。この例では、積層体を縦方向の折曲線１１に沿って折り曲げてシーラント層同士を対向させ、側端部を熱シールしたサイドシール部３と、上端部を熱シールしたトップシール部２
と、下端部を熱シールしたボトムシール部５を有する三方シール包装袋に、シート状の内容物３０を収納した包装体である。
【００２４】
この実施形態においては、サイドシール部３に開封開始部６を有し、この開封開始部６から出発して表面側の積層体を経由して水平方向に向かい、折曲線１１との交点１２に至るハーフカット線からなる表面開封誘導線８と、前記開封開始部６から出発して裏面側の積層体を経由して水平方向に向かい、前記折曲線１１との交点１２に至るハーフカット線からなる裏面開封誘導線９とを有し、裏面開封誘導線９は水平な直線状であってその高さ位置は、内容物３０の上端が露出しない高さであり、表面開封誘導線８は、開封開始部６の高さより中央部の高さが低く、中央部の高さは内容物３０の上端が露出する高さであることを特徴とする。
【００２５】
図４は、図３に示した包装体１を開封した状態を模式的に示した平面説明図である。この実施態様においても、図１、２に示した四方袋の場合と同様の効果を得ることができる。すなわち、内容物３０の上端部は、表面側のみが露出し、裏面側は露出しない。このため、医薬品等を収納しても、衛生的に取り扱うことが可能である。表裏の積層体の切り口が一致していないため、開封後に切断面を開くことが容易に行える。従って薄いシート状の内容物のように、取り出し難い内容物であっても、容易に取出すことができる。
【００２６】
図５は、本発明に係る包装体１の第三の実施形態を模式的に示した平面説明図である。この例では、ボトムシール部５の、内容物３０の側端より外側の位置２箇所に、包装袋を縦方向に切断するための開封開始部７ａ、７ｂを有することを特徴とする。図６は、図５に示した包装体１を開封した状態を模式的に示した平面説明図である。このように開封開始部６から水平方向に開封した後、ボトムシール部５に設けた開封開始部７ａ、７ｂから包装体を縦方向に開封することにより、図６に示したように、ボトムシール部５以外の３方向がすべて開封された状態となる。このようにすることで、内容物３０の取り出し易さは、さらに向上する。
【００２７】
図７は、本発明に係る包装体１に用いる積層体２０の層構造を模式的に示した断面説明図である。この例では、基材層２１とアルミニウム箔層２２とシーラント層２３が含まれている。これらの各層の積層は、通常接着剤を用いたドライラミネート法や、接着性樹脂の押出しラミネート法によるが、図では接着剤層等は省略している。
【００２８】
基材層２１としては、各種合成樹脂フィルムが使用可能である。具体的には、ポリプロピレン樹脂（ＰＰ）、ポリエチレンテレフタレート樹脂（ＰＥＴ）、ポリブチレンテレフタレート樹脂（ＰＢＴ）等のポリエステル系樹脂、セロハン、三酢酸セルロース（ＴＡＣ）樹脂等のセルロース系樹脂、ポリメチルメタアクリレート樹脂（ＰＭＭＡ）、アイオノマー樹脂、ナイロン−６、ナイロン−６６等のポリアミド系樹脂、ポリスチレン系樹脂（ＰＳ）、ポリ塩化ビニル樹脂（ＰＶＣ）、ポリ塩化ビニリデン樹脂（ＰＶＤＣ）、ポリカーボネート樹脂（ＰＣ）、フッ素系樹脂等の各種合成樹脂フィルム等を使用することが出来る。基材層２１が印刷を伴う場合には、印刷適性を考慮して延伸ＰＥＴ樹脂フィルム（ＰＥＴ）や延伸ＰＰ樹脂フィルム（ＯＰＰ）、延伸ナイロンフィルム（ＯＮｙ）等を用いる。
【００２９】
アルミニウム箔層２２としては、厚さ６μｍ〜２０μｍ程度のアルミニウム合金箔を用いる。シーラント層２３としては、ポリオレフィン系樹脂が一般的に使用される。具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００３０】
開封誘導線は、基材層に設けたハーフカット線であり、アルミニウム箔層やシーラント層に及ばないことで、包装材のガスバリア性を損なうことがない。開封誘導線の加工方法としては、刃物を用いたハーフカットでも良いが、炭酸ガスレーザーを用いたレーザー加工により、より効率的かつ安全に行うことができる。積層体２０にアルミニウム箔層２２が存在することで、基材層２１のみを安定的に除去することができるからである。
【００３１】
レーザー加工機を用いて開封誘導線を形成する際には、表裏面の積層体に対して表裏面の開封誘導線を同時に１工程で行うのが望ましい。そうすることで、表面開封誘導線の終点と裏面開封誘導線の終点を一致させることが容易となる。以下実施例に基いて、本発明に係る包装体について具体的に説明する。
【実施例】
【００３２】
基材層として厚さ１２μｍのＰＥＴフィルムを用い、アルミニウム箔層として厚さ７μｍの軟質アルミニウム箔を用い、シーラント層として厚さ３０μｍのＬＬＤＰＥフィルムを用い、これらの３層を接着剤を用いたドライラミネーションにより積層体とした。
【００３３】
この積層体のＰＥＴ面に炭酸ガスレーザーマーカーを用いて、図５に示したような開封誘導線を加工した後、内容物として経皮吸収薬を挿入し、幅５ｍｍのシールバーを用いて温度１８０℃、０．２ＭＰａの圧力で４辺をシールし、さらにサイドシール部とボトムシール部に開封開始部となるＶノッチを設けて、包装体とした。
【００３４】
＜比較例＞
比較例として、表面開封誘導線を、裏面開封誘導線と同じ直線状とした以外は、実施例１と同様にして包装体を作成した。
【００３５】
１０名のモニターに、実施例と比較例の包装体を開封して内容物を取り出す作業を実施して貰ったところ、１名を除く９名のモニターが実施例の包装体の方が取り出し易いと感じたという結果が得られた。これにより、本発明に係る包装体の優位性が確認された。
【符号の説明】
【００３６】
１・・・包装体
２・・・トップシール部
３・・・サイドシール部
４・・・サイドシール部
５・・・ボトムシール部
６、７ａ、７ｂ・・・開封開始部
８・・・表面開封誘導線
９・・・裏面開封誘導線
１０・・・終点
１１・・・折曲線
１２・・・交点
２０・・・積層体
２１・・・基材層
２２・・・アルミニウム箔層
２３・・・シーラント層
３０・・・内容物
【図１】
2020070038.tif 000003
【図２】
2020070038.tif 000004
【図３】
2020070038.tif 000005
【図４】
2020070038.tif 000006
【図５】
2020070038.tif 000007
【図６】
2020070038.tif 000008
【図７】
2020070038.tif 000009